(57)【要約】【課題】メインシーブとそらせシーブとの垂直方向の寸法を充分に採って所望のトラクションを得ることができるエレベータ装置を提供する。【解決手段】昇降路１１内に乗りかご１２及び釣合錘１３を昇降可能に設け、昇降路１１の天井部１５の上方に設けられた機械室１６内に、メインシーブ１７を有する巻上機を設けている。メインシーブ１７には、天井部１５を貫通して乗りかご１２と釣合錘１３とを接続するロープ１８が巻き掛けられており、このメインシーブ１７の回転により、ロープ１８によって吊支された乗りかご１２及び釣合錘１３を相互に昇降させる。メインシーブ１７に巻きかけられたロープ１８を乗りかご１２又は釣合錘１３に導くそらせシーブ１９を昇降路１１内に設けて、メインシーブ１７に対する巻き掛け角度を大きくした。【選択図】図１
2013103831.tif 000002
【特許請求の範囲】
【請求項１】
昇降路と、
この昇降路内に、それぞれガイドレールによって昇降可能に設けられた乗りかご及び釣合錘と、
前記昇降路の天井部の上方に設けられた機械室と、
この機械室内に設置され、前記昇降路の天井部を移動可能に貫通して前記乗りかごと釣合錘とを接続するロープが巻き掛けられるメインシーブを有し、このメインシーブの回転により、前記ロープによって吊支された前記乗りかご及び釣合錘を相互に昇降させる巻上機と、
前記昇降路内に設けられ、前記メインシーブに巻きかけられたロープを前記乗りかご又は釣合錘に導くそらせシーブと、
を備えたことを特徴とするエレベータ装置。
【請求項２】
前記そらせシーブは、前記昇降路の内側面から持ち出された梁に取り付けられていることを特徴とする請求項１に記載のエレベータ装置。
【請求項３】
前記そらせシーブは、前記釣合錘用のガイドレールから持ち出された梁に取り付けられていることを特徴とする請求項１に記載のエレベータ装置。
【請求項４】
前記そらせシーブは、前記乗りかご用のガイドレールから持ち出された梁に取り付けられていることを特徴とする請求項１に記載のエレベータ装置。
【請求項５】
前記そらせシーブは、前記昇降路の内側面に取り付けられていることを特徴とする請求項１に記載のエレベータ装置。
【請求項６】
前記そらせシーブと、このそらせシーブが取り付けられる構造材との間に緩衝材を設けたことを特徴とする請求項２乃至請求項５のいずれかに記載のエレベータ装置。
【発明の詳細な説明】
【技術分野】
【０００１】
本発明の実施形態は、そらせシーブの取り付け構造を改良したエレベータ装置に関する。
【背景技術】
【０００２】
エレベータ装置は、建物内に縦方向に形成された昇降路の天井部の上方に機械室を設けており、昇降路内には乗りかご及び釣合錘が、それぞれガイドレールによって昇降可能に設置されている。機械室内には、マシンビーム受け梁やマシンビームが、さらに、その上にはマシンベースが設置され、このマシンベース上に取り付けられたマシンベッド上（機械室内の比較的高い位置）には、メインシーブ（トラクションシーブとも言う）を備えた巻上機が設置されている。
【０００３】
このメインシーブには昇降路の天井部を移動可能に貫通するロープが巻き掛けられている。このロープは昇降路内に設けられた乗りかごと釣合錘とを接続し、これら乗りかご及び釣合錘を吊支している。これら乗りかご及び釣合錘は、巻上機によりメインシーブを回転させることにより、昇降路内において相互に昇降駆動される。
【０００４】
また、機械室内の比較的低い位置には、そらせシーブが設けられている。このそらせシーブは、メインシーブに巻きかけられたロープを、吊支された乗りかご又は釣合錘に導くためのものである。
【０００５】
ここで、ロープとメインシーブとの間には摩擦すなわちトラクションがあり、メインシーブを回転させると、この間のトラクションによりロープが長さ方向に駆動され、乗りかご及び釣合錘を相互に上下動させることができる。このため、ロープとメインシーブとの間には充分なトラクションが生じている必要がある。
【０００６】
トラクションの改善方法の一つとして、メインシーブの直径と、メインシーブを経てそらせシーブに巻き掛けられるロープの角度（以下、メインシーブに対する巻き掛け角度と呼ぶ）の増加がある。メインシーブは機械室内の比較的高い位置に設置され、そらせシーブは機械室内の比較的低い位置に設置されており、これらの位置関係によりメインシーブに対する巻き掛け角度が決まる。
【０００７】
ここで、乗りかご及び釣合錘の平面位置が決定している場合、メインシーブが比較的小径の場合は、大径の場合よりメインシーブに対するロープの巻き掛け角度が小さくなる。すなわち、図７で示すように、乗りかご１２と釣合錘１３との水平方向（平面方向）の距離ｘが決まっている場合、メインシーブ１７の中心とそらせシーブ１９の中心との垂直方向の距離ｙが一定であれば、大径のメインシーブ１７Ａに対する巻き掛け角度ａより、小径のメインシーブ１７Ｂに対する巻き掛け角度ｂは小さくなる。
【０００８】
小径のメインシーブ１７Ｂに対する巻き掛け角度ｂを大きくするためには、メインシーブ１７の中心とそらせシーブ１９の中心との垂直方向の距離ｙを大きく採らなければならない。すなわち、図８で示すように、垂直方向の距離をｙ2と大きくすれば、メインシーブ１７ｂに対する巻き掛け角度をｂ2と大きくすることができる。
【先行技術文献】
【特許文献】
【０００９】
【特許文献１】特開２０１１−１４０３５６号公報
【発明の概要】
【発明が解決しようとする課題】
【００１０】
しかしながら、機械室内の高さ寸法には限度がありメインシーブ１７の中心とそらせシーブ１９の中心との垂直方向の距離を大きく採ることが困難であった。
【００１１】
本発明が解決しようとする課題は、メインシーブとそらせシーブとの垂直方向の距離を充分に採って所望のトラクションを得ることができるエレベータ装置を提供することにある。
【課題を解決するための手段】
【００１２】
本発明の実施の形態によるエレベータ装置では、昇降路と、この昇降路内に、それぞれガイドレールによって昇降可能に設けられた乗りかご及び釣合錘と、前記昇降路の天井部の上方に設けられた機械室と、この機械室内に設置され、前記昇降路の天井部を移動可能に貫通して前記乗りかごと釣合錘とを接続するロープが巻き掛けられるメインシーブを有し、このメインシーブの回転により、前記ロープによって吊支された前記乗りかご及び釣合錘を相互に昇降させる巻上機と、前記昇降路内に設けられ、前記メインシーブに巻きかけられたロープを前記乗りかご又は釣合錘に導くそらせシーブとを備えたことを特徴とする。
【図面の簡単な説明】
【００１３】
【図１】本発明の一実施の形態に係るエレベータ装置をリニューアル前とリニューアル後とについて説明する模式図である。
【図２】本発明の一実施の形態に係るエレベータ装置におけるソラセシーブを梁に取り付ける場合の模式図である。
【図３】本発明の一実施の形態に係るエレベータ装置におけるソラセシーブを釣合錘用ガイドレールに取り付ける場合の模式図である。
【図４】本発明の一実施の形態に係るエレベータ装置におけるソラセシーブを乗かご用ガイドレールに取り付ける場合の模式図である。
【図５】本発明の一実施の形態に係るエレベータ装置におけるソラセシーブと取り付け構造材との間に緩衝材を設けた場合の模式図である。
【図６】本発明の一実施の形態に係るエレベータ装置におけるソラセシーブを壁面に取り付ける場合の模式図である。
【図７】エレベータ装置におけるメインシーブに対するロープの巻き掛け角度を大径の場合と小径の場合について説明する模式図である。
【図８】エレベータ装置における小径のメインシーブに対するロープの巻き掛け角度の改善策を説明する模式図である。
【発明を実施するための形態】
【００１４】
以下、本発明の実施の形態について、図面を参照して詳細に説明する。
【００１５】
図１の実施の形態は、エレベータ装置をリニューアルした場合を例によっており、図示左側はリニューアル前（サフィックスＡを付している）、図示右側はリニューアル後（サフィックスＢを付している）を示している。
【００１６】
図１は機械室と昇降路との関係を模式的に表している。図１において、図示しない建物に形成された昇降路１１内には、乗りかご１２及び釣合錘１３が、それぞれ図示しないガイドレールによって昇降可能に設けられている。この昇降路１１の天井部１５の上方には機械室１６が設けられている。機械室１６内には、図示しないがマシンビーム受け梁やマシンビーム、さらに、その上にはマシンベースが設置され、このマシンベースに取り付けられたマシンベッド上、すなわち、機械室１６内の比較的高い位置には、メインシーブ１７を備えた巻上機が設置されている。
【００１７】
このメインシーブ１７には昇降路１１の天井部１５に穿設された図示しない開口を移動可能に貫通するロープ１８が巻き掛けられている。このロープ１８は昇降路１１内に設けられた乗りかご１２と釣合錘１３とを接続し、これら乗りかご１２及び釣合錘１３を吊支する。これら乗りかご１２及び釣合錘１３は、巻上機によりメインシーブ１７が回転されることにより、昇降路１１内において相互に昇降駆動される。
【００１８】
メインシーブ１７に巻きかけられたロープ１８を、吊支される釣合錘１３に導くそらせシーブ１９は、メインシーブ１７より低い位置に配置されている。このため、ロープ１８はメインシーブ１７に対して所望の巻き掛け角度で巻き掛けられている。
【００１９】
ここで、リニューアル前のメインシーブ１７Ａの直径は、リニューアル後のメインシーブ１７Ｂの直径より大きい。通常、メインシーブ１７の直径はローブ１８の直径の５倍以上と定められており、リニューアル前では比較的太いロープ１８Ａが用いられていたため、メインシーブ１７Ａも大径であった。しかしながら、近年は比較的小径のロープ１８Ｂの使用が可能となり、それに連れてリニューアル後のメインシーブ１７Ｂも、その分、図示のように小径となった。
【００２０】
リニューアル前では、メインシーブ１７Ａが大径であるため、このメインシーブ１７Ａを経てそらせシーブ１９Ａに至るロープ１８Ａの、メインシーブに対する巻き掛け角度は、図７で説明したように、大きな巻き掛け角度となり、充分なトラクションが得られる。このため、そらせシーブ１９Ａは、図示のように機械室１６内に配置でき、図示しないマシンベースなどに取り付けられている。
【００２１】
これに対して、リニューアル後のメインシーブ１７Ｂは比較的小径のため、大径のメインシーブ１７Ａに対する巻き掛け角度ａと同等以上の巻き掛け角度ｂを得るためには、図８で説明したように、メインシーブ１７の中心とそらせシーブ１９の中心との垂直方向の距離を大きく採らなければならない。この場合、メインシーブ１７Ｂを有する巻上機を上方に変位させることは、機械室１６における構造上の制約から実質的に困難である。
【００２２】
そこで、この実施の形態では、リニューアル後におけるそらせシーブ１９Ｂを昇降路１１内に配置した。このように構成することにより、メインシーブ１７Ｂの中心とそらせシーブ１９Ｂの中心との垂直方向の距離を大きくでき、ロープ１８Ｂの、メインシーブ１７Ｂ対する充分な巻き掛け角度を得ることができる。
【００２３】
昇降路１１内におけるそらせシーブ１９Ｂの取り付け構造は、例えば、図２で示すように、そらせシーブ１９Ｂを、昇降路１１の内側面から持ち出された梁２１に取り付ける。
【００２４】
また、昇降路１１内には、前述のように乗りかご１２及び釣合錘１３用のガイドレールが設けられているので、例えば、図３で示すように、そらせシーブ１９Ｂを、釣合錘１３用のガイドレール２２（乗りかご１２用のガイドレールは図示を省略している）から持ち出された梁２３に取り付けてもよい。
【００２５】
同様に、図４で示すように、そらせシーブ１９Ｂを、乗りかご１２用のガイドレール２５（釣合錘１３用のガイドレールは図示を省略している）から持ち出された梁２６に取り付けてもよい。
【００２６】
これらの場合、図５で示すようにガイドレール２２，２５と梁２３，２６との間に防振ゴムや樹脂などによる緩衝材２８を設けてもよい。
【００２７】
さらに、図６で示すように、そらせシーブ１９Ｂを、ブラケットを介して昇降路１１の内側面を構成する壁面１１ａにアンカー３０を用いて固定し、直接的に取り付けてもよい。この場合も、壁面１１ａまでの間に、緩衝材２８を介在させてもよい。
【００２８】
要するに、そらせシーブ１９Ｂと、このそらせシーブ１９Ｂが取り付けられる構造材との間に緩衝材２８を設ければよく、このように構成することにより昇降路１１内における防振効果を実現することができる。
【００２９】
このように上述した実施の形態では、機械室１６内に設けられたメインシーブ１７に対して、そらせシーブ１９を昇降路１１内に配置したので、メインシーブ１７を経てそらせシーブ１９に巻き掛けられるロープ１８の、メインシーブ１７に対する巻き掛け角度を大きくすることができ、所望のトラクションを得ることができる。
【００３０】
なお、上記実施の形態では、エレベータ装置をリニューアルする場合の例を説明したが、リニューアルではなくエレベータ装置を新設する場合であっても勿論かまわない。すなわち、機械室１６の高さを大きく構成できず、メインシーブ１７が小径の場合等、そらせシーブ１９との垂直方向の距離を大きく採る必要がある場合には、本実施の形態をそのまま適用することができる。
【００３１】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これらの実施形態やその変形は、発明の範囲や要旨に含まれると共に、特許請求の範囲に記載された発明とその均等の範囲に含まれる。
【符号の説明】
【００３２】
１１…昇降路
１２…乗りかご
１３…釣合錘
１５…天井部
１７…メインシーブ
１８…ロープ
１９…そらせシーブ
２１…梁
２２…釣合錘用ガイドレール
２５…乗りかご用ガイドレール
２８…緩衝材
【図１】
2013103831.tif 000003
【図２】
2013103831.tif 000004
【図３】
2013103831.tif 000005
【図４】
2013103831.tif 000006
【図５】
2013103831.tif 000007
【図６】
2013103831.tif 000008
【図７】
2013103831.tif 000009
【図８】
2013103831.tif 000010